(57)【要約】【課題】本考案は、補修工事のための仮設足場の施工方法が単純であり、かつ仮設足場の組立ての施工日数が少なく、かつ足場組立作業員の安全性が高い仮設足場である単管フープ足場を提供する。【解決手段】本考案の単管フープ足場１は、橋梁又は高架道路のコンクリート製地覆部２及び高欄３を囲むように支柱単管パイプ６、屋根単管パイプ１５、側柱単管パイプ２５、足場単管パイプ９を組み立てた略正方形の単管フープ足場枠４を形成し、該略正方形の単管フープ足場枠４を橋梁又は高架道路に沿って等間隔に多数配置固定し、各単管フープ足場枠４同士を橋梁又は高架道路方向に沿って長尺単管パイプ５により相互連結することにより形成される。【選択図】図１
0003167974.tif 000002
【実用新案登録請求の範囲】
【請求項１】
支柱単管パイプの下端部に溶接された第一ベースプレートを橋梁又は高架道路の路面上にアンカーボルトにより立設固定し、屋根単管パイプを前記支柱単管パイプの上端部に水平に前記橋梁又は高架道路からはみ出すように延設固定し、側柱単管パイプを前記屋根単管パイプの他端部に垂直下方に延設固定し、足場単管パイプの一端部を前記側柱単管パイプの下端部に固定するとともに足場単管パイプの他端部に溶接された第二ベースプレートを橋梁又は高架道路の地覆部の側面下部にアンカーボルトにより水平固定し、橋梁又は高架道路のコンクリート製地覆部及び高欄を囲むように前記支柱単管パイプ、前記屋根単管パイプ、前記側柱単管パイプ、前記足場単管パイプを組み立てた略正方形の単管フープ足場枠を形成すると共に前記支柱単管パイプの上部に前記屋根単管パイプの中央部と連結する筋かいを接続クランプにより連結して単管フープ足場枠を補強し、前記略正方形の単管フープ足場枠を橋梁又は高架道路に沿って等間隔に多数配置固定し、各単管フープ足場枠同士を橋梁又は高架道路方向に沿って長尺単管パイプにより相互連結することを特徴とする単管フープ足場。
【請求項２】
前記支柱単管パイプ及び前記足場単管パイプには支柱補強板及び足場補強板が一体溶接されて補強されていることを特徴とする請求項１記載の単管フープ足場。
【考案の詳細な説明】
【技術分野】
【０００１】
本考案は、橋梁や高架道路において、コンクリート製地覆部の補修と高欄の交換を行うための仮設足場としての単管フープ足場に関する。
【背景技術】
【０００２】
従来、橋梁や高架道路の補修を行う場合には、片側交互交通として道路規制を行い、コンクリート製地覆部の補修と高欄の交換を行うための仮設足場を組み立て、この補修工事を行うようにしている。
この補修工事は、仮設足場の施工方法が複雑であり、かつ仮設足場の組立てに施工日数を要すると共に、足場組立作業員の安全性が低いものであった。
【先行技術文献】
【特許文献】
【０００３】
【特許文献１】特開２０００−３０３４１０号公報
【考案の概要】
【考案が解決しようとする課題】
【０００４】
本考案は、補修工事のための仮設足場の施工方法が単純であり、かつ仮設足場の組立ての施工日数が少なく、かつ足場組立作業員の安全性が高い仮設足場である単管フープ足場を提供することを目的とする。
【課題を解決するための手段】
【０００５】
上記のような課題を解決するために、本考案の単管フープ足場は、支柱単管パイプの下端部に溶接された第一ベースプレートを橋梁又は高架道路の路面上にアンカーボルトにより立設固定し、屋根単管パイプを前記支柱単管パイプの上端部に水平に前記橋梁又は高架道路からはみ出すように延設固定し、側柱単管パイプを前記屋根単管パイプの他端部に垂直下方に延設固定し、足場単管パイプの一端部を前記側柱単管パイプの下端部に固定するとともに足場単管パイプの他端部に溶接された第二ベースプレートを橋梁又は高架道路の地覆部の側面下部にアンカーボルトにより水平固定し、橋梁又は高架道路のコンクリート製地覆部及び高欄を囲むように前記支柱単管パイプ、前記屋根単管パイプ、前記側柱単管パイプ、前記足場単管パイプを組み立てた略正方形の単管フープ足場枠を形成すると共に前記支柱単管パイプの上部に前記屋根単管パイプの中央部と連結する筋かいを接続クランプにより連結して単管フープ足場枠を補強し、前記略正方形の単管フープ足場枠を橋梁又は高架道路に沿って等間隔に多数配置固定し、各単管フープ足場枠同士を橋梁又は高架道路方向に沿って長尺単管パイプにより相互連結するものである。
また、前記支柱単管パイプ及び前記足場単管パイプには支柱補強板及び足場補強板が一体溶接されて補強されているものである。
【考案の効果】
【０００６】
このように、本考案の単管フープ足場は、補修工事のための仮設足場の施工方法が単純であり、かつ仮設足場の組立ての施工日数が少なく、かつ足場組立作業員の安全性が高いものである。
【図面の簡単な説明】
【０００７】
【図１】本考案の単管フープ足場の側面図である。
【図２】本考案の単管フープ足場のA部拡大側面図である。
【図３】本考案の単管フープ足場のA部拡大正面図である。
【図４】本考案の単管フープ足場のA部拡大平面図である。
【図５】本考案の単管フープ足場の一部拡大側面図である。
【図６】本考案の単管フープ足場のB部拡大側面図である。
【図７】本考案の単管フープ足場のB部拡大背面図である。
【図８】本考案の単管フープ足場の地覆バンドを取付けた状態の一部拡大側面図である。
【考案を実施するための形態】
【０００８】
以下、本考案の単管フープ足場の一実施例を添付図面に基づいて説明する。
本考案の単管フープ足場１は、図１の側面図に示すように、橋梁又は高架道路のコンクリート製地覆部２及び高欄３を囲むように支柱単管パイプ６、屋根単管パイプ１５、側柱単管パイプ２５、足場単管パイプ９を組み立てた略正方形の単管フープ足場枠４を形成し、該略正方形の単管フープ足場枠４を橋梁又は高架道路に沿って等間隔に多数配置固定し、各単管フープ足場枠４同士を橋梁又は高架道路方向に沿って長尺単管パイプ５により相互連結することにより形成される。
前記単管フープ足場枠４は、前記地覆部２を囲う略正方形の角部において、前記支柱単管パイプ６に溶接された第一ベースプレート７を橋梁又は高架道路の路面上にアンカーボルト８により固定され、前記足場単管パイプ９に溶接された第二ベースプレート１０を橋梁又は高架道路の地覆部２の側面下部にアンカーボルト８により固定される。
【０００９】
前記単管フープ足場枠４は、図２のA部拡大側面図に示すように、支柱単管パイプ６と、該支柱単管パイプ６に沿って該支柱単管パイプ６を補強するための支柱補強板１１を一体溶接し、両者の下端を第一ベースプレート７に溶接固定し、さらに該第一ベースプレート７を橋梁又は高架道路の路面上にアンカーボルト８により固定する。
なお、アンカーボルト８は、全面にネジを形成し、後端にナットを螺合し先端を約４５度の角度で切断して、橋梁又は高架道路の路面上のアスファルト舗装１２からコンクリート床版１３に到達する長さのものが用いられる。
【００１０】
図３の道路側から見た正面図に示すように、前記支柱補強板１１は、支柱単管パイプ６の中央に位置し、かつ支柱単管パイプ６に沿って設けられており、支柱単管パイプ６の下端に溶接された第一ベースプレート７は支柱単管パイプ６の幅よりアンカーボルト８の分だけ幅が広く形成されている。
【００１１】
また、図４の上方から見た平面図に示すように、第一ベースプレート７は長方形をなし、四隅にアンカーボルト８を挿入するアンカーボルト穴１４が形成されると共に、支柱補強板１１で補強された支柱単管パイプ６は第一ベースプレート７の中心より道路側と反対側に偏って、すなわち支柱補強板１１が道路側に面して第一ベースプレート７に溶接固定される。
【００１２】
さらに、前記単管フープ足場枠４の角部の強度が足りない場合には、図５の一部拡大側面図に示すように、支柱単管パイプ６の上部に、屋根単管パイプ１５の中央部と連結する筋かい１６を接続クランプ１７により連結して単管フープ足場枠４を補強し、接続クランプ１７の位置する部分の支柱補強板１１には切欠き部１８を設けて接続クランプ１７が係合固定できるようにする。
【００１３】
次に、前記単管フープ足場枠４は、図６のB部拡大側面図に示すように、足場単管パイプ９と、該足場単管パイプ９の下面に沿って該足場単管パイプ９を補強するための根太補強板１９を溶接固定し、両者の左端を第二ベースプレート１０に溶接固定し、さらに該第二ベースプレート１０を橋梁又は高架道路の地覆部２の側面下部にアンカーボルト８により固定する。
なお、アンカーボルト８は、全面にネジを形成し、後端にナットを螺合し先端を約４５度の角度で切断して、橋梁又は高架道路の地覆部２の側面下部のコンクリート床版１３に固定する所定長さのものが用いられる。
【００１４】
図７の道路と反対側から見た背面図に示すように、前記根太補強板１９は、足場単管パイプ９の下面中央に位置し、かつ第二ベースプレート１０の下端部までの幅を有し、足場単管パイプ９の左端に溶接された第二ベースプレート１０は、足場単管パイプ９が溶接された個所から上辺に向かって長方形のベースプレート補強板２０を溶接固定して、該ベースプレート補強板２０を挟んで第二ベースプレート１０両側にアンカーボルト８が挿入されるアンカーボルト穴１４が４個形成される。
【００１５】
そして、図１に示すように、前記支柱単管パイプ６の下端部に溶接された第一ベースプレート７を橋梁又は高架道路の路面上にアンカーボルト８により立設固定し、前記屋根単管パイプ１５を前記支柱単管パイプ６の上端部に水平に前記橋梁又は高架道路からはみ出すように延設固定し、側柱単管パイプ２５を前記屋根単管パイプ１５の他端部に垂直下方に延設固定し、足場単管パイプ９の一端部を前記側柱単管パイプ２５の下端部に固定するとともに足場単管パイプ９の他端部に溶接された第二ベースプレート１０を橋梁又は高架道路の地覆部２の側面下部にアンカーボルト８により水平固定する。
【００１６】
仮設足場枠の仮設工事の初期においては、図８の一部拡大側面図に示すように、断面Ｌ字型アルミ枠をコンクリート製地覆部２の断面形状に一致するようにコ字形に溶接して地覆バンド２１を形成し、該地覆バンド２１を道路側のボルトナット２２の締付けにより地覆部２に締付け固定し、一方、反対側に設けた鎖２３に第二ベースプレート１０のベースプレート補強板２０の穴に前記鎖２３を嵌合させて足場単管パイプ９を仮支持するようになっている。
したがって、第二ベースプレート１０を地覆部２の側面下部にアンカーボルト８により固定した後は、上記地覆バンド２１はコンクリート製地覆部２から撤去される。
【００１７】
このようにして、橋梁又は高架道路に沿って等間隔に仮設された略正方形の単管フープ足場枠４には、図８に示すように、前後の足場単管パイプ９間に足場板２４が渡されると共に、側柱単管パイプ２５間に手摺２６が渡され接続クランプ１７で固定され、さらに側柱単管パイプ２５及び足場単管パイプ９の外面全体を安全ネット２７で覆う。
さらに、図１に示すように、屋根単管パイプ１５間には、建築用防炎シート２８を掛け渡し、該防炎シート２８の両端を長尺単管パイプ５に止め紐２９で固定する。
【００１８】
次に、本考案の単管フープ足場の操作動作について述べると、
まず、道路の地覆部２内側より１mの所に仮設の防護柵（例えば、H型鋼の平板部にガードレールを固定したもの。）を地覆部２の高欄３と平行に設置し、地覆部２の上面に単管フープ足場枠４の取付位置をマーキングする。
第一ベースプレート７のアンカーボルト穴１４と同じ穴を形成した定規により、そのマーク位置で橋梁又は高架道路の路面上にアンカー打ち込み位置をマーキングし、そのマーク位置にハンマードリルによりアスファルト舗装１２の厚さ５０〜８０mm、コンクリート床版１３部分１００mm以上のアンカーボルト打ち込み削孔を明ける。
そして、該削孔にアンカーボルト用急硬定着材、例えば電気化学工業（株）のデンカクイックカプセルを水に浸して挿入し、先端を４５゜に切断したアンカーボルト８をハンマードリルで打ち込み、固定させるために約１日養生する。
なお、先端を４５゜に切断したアンカーボルト８を使用するのは、急硬定着材の撹拌を円滑にするためである。
【００１９】
養生後、前記アンカーボルト８に第一ベースプレート７のアンカーボルト穴１４を嵌合してナットで締付け固定すると共に、地覆部２に地覆バンド２１を被覆固定し、地覆バンド２１の鎖２３を介して第二ベースプレート１０を支持し、単管フープ足場枠４を一応略正方形に形成する。
さらに必要ならば、支柱単管パイプ６及び屋根単管パイプ１５に筋かい１６を渡して単管フープ足場枠４の角部の強度を高める。
このようにして、単管フープ足場枠４を橋梁又は高架道路に沿って等間隔に固定し、各単管フープ足場枠４間に足場板２４及び手摺２６を取り付ける。
【００２０】
次に、足場板２４上の安全な場所で、第二ベースプレート１０のアンカーボルト穴１４からコンクリート床版１３にハンマードリルでアンカーボルト８削孔を明ける。
そして、該削孔に樹脂系接着剤、例えば樹脂カプセルアンカ旭化成ケミカルセッターを挿入し、先端を４５゜に切断したアンカーボルト８をハンマードリルで打ち込み、第二ベースプレート１０から突き出ているアンカーボルト８をナットで締付け第二ベースプレート１０を地覆部２の側面下部に固定する。
【００２１】
その後、樹脂系接着剤が硬化したら、地覆バンド２１を取り外し、安全ネット２７及び防炎シート２８を取り付けて単管フープ足場１の仮設作業が完了する。
【符号の説明】
【００２２】
１  単管フープ足場
２  地覆部
３  高欄
４  単管フープ足場枠
５  長尺単管パイプ
６  支柱単管パイプ
７  第一ベースプレート
８  アンカーボルト
９  足場単管パイプ
１０  第二ベースプレート
１１  支柱補強板
１２  アスファルト舗装
１３  コンクリート床版
１４  アンカーボルト穴
１５  屋根単管パイプ
１６  筋かい
１７  接続クランプ
１８  切欠き部
１９  根太補強板
２０  ベースプレート補強板
２１  地覆バンド
２２  ボルトナット
２３  鎖
２４  足場板
２５  側柱単管パイプ
２６  手摺
２７  安全ネット
２８  防炎シート
２９  止め紐
【図１】
0003167974.tif 000003
【図２】
0003167974.tif 000004
【図３】
0003167974.tif 000005
【図４】
0003167974.tif 000006
【図５】
0003167974.tif 000007
【図６】
0003167974.tif 000008
【図７】
0003167974.tif 000009
【図８】
0003167974.tif 000010